(57)【要約】【課題】構造物規模が小さい時に壁厚が薄い構造物の構築が可能になり、障害物の撤去作業を無くし、地中構造物の構築を容易に行えるようにする。【解決手段】構築する地中構造物の外周に相当する地中箇所をワイヤーソーまたはチェーンソー等の切削具（４）で切断し、切断箇所に土留部材及び構造部材を挿入し、前記部材で囲む内部を掘削して地中構造物を構築するようにしたものである。【選択図】        図１
2004225344.tif 000002
【特許請求の範囲】
【請求項１】
地中に構築される構造物において、ワイヤーソーまたはチェーンソー等の可撓性切削具で切断した構造物外周に相当する地中箇所に挿入した土留部材及び構造部材で構築されたことを特徴とする地中構造物。
【請求項２】
前記構造部材または構造部材と挿入床版とで構造物の形状を形成したことを特徴とする請求項１記載の地中構造物。
【請求項３】
前記構造部材はコンクリートパネル、鋼材、木材、樹脂性パネル等であることを特徴とする請求項１または２記載の地中構造物。
【請求項４】
前記構造物の形状は、断面矩形、断面多角形、断面半円形状、断面曲線状であることを特徴とする請求項１または２記載の地中構造物。
【請求項５】
地中構造物を構築する方法において、構築する地中構造物の外周に相当する地中箇所をワイヤーソーまたはチェーンソー等の可撓性切削具で切断し、切断箇所に土留部材及び構造部材を挿入し、前記部材で囲む内部を掘削して地中構造物を構築することを特徴とする地中構造物の構築法。
【請求項６】
前記構造部材または構造部材と挿入床版とで構造物の形状を形成したことを特徴とする請求項５記載の地中構造物の構築法。
【請求項７】
前記構造部材はコンクリートパネル、鋼材、木材、樹脂性パネル等であることを特徴とする請求項５または６記載の地中構造物。
【請求項８】
前記構造物の形状は、断面矩形、断面多角形、断面半円形状、断面曲線状であることを特徴とする請求項５または６記載の地中構造物。
【発明の詳細な説明】
【０００１】
【発明の属する技術分野】
本発明は軌道下等に地中に構築される構造物とその構築法に関する。
【０００２】
【従来の技術】
鉄道や道路の下を横断して非開削工法で地下構造物を構築する場合、例えば、断面矩形のコンクリート製或いは鋼製のエレメントをその内部を掘削しながら推進または牽引により地中に挿入し、複数のエレメント相互間を継手で連結して地下構造物の本体として利用することが行われている。
【０００３】
【特許文献１】特開平６ー２８０４６９号公報
【０００４】
【特許文献２】特開２０００ー１２０３７２号公報
【０００５】
【発明が解決しようとする課題】
上記特許文献１、特許文献２の工法では、人間が入れるエレメントとなるため、エレメントの大きさが大きくなり、構造物の規模に比べて壁厚が厚くなってしまう。また、構築箇所には地盤中に礫や玉石等の障害物が含まれている場合がある。このような場合、どのような施工法であっても施工の際それらを予め取り除いておけば安全で施工速度も速くすることができる。しかし、従来では、これら玉石等の撤去作業は、地盤に所定の大きさの穴を開け、人間が中に入って玉石等を取り除く撤去作業が必要となり、極めて大変で、上記特許文献１、特許文献２においてもその対策については考慮されていない。
【０００６】
【課題を解決するための手段】
本発明は上記課題を解決しようとするもので、構造物規模が小さい時に壁厚が薄い構造物の構築が可能になり、障害物の撤去作業を無くし、地中構造物の構築を容易に行えるようにしようとするものである。
本発明は、地中に構築される構造物において、ワイヤーソーまたはチェーンソー等の可撓性切削具で切断した構造物外周に相当する地中箇所に挿入した土留部材及び構造部材で構築されたことを特徴とする。
また、本発明の構造物は、構造部材または構造部材と挿入床版とで構造物の形状を形成したことを特徴とする。
また、本発明の構造物は、構造部材がコンクリートパネル、鋼材、木材、樹脂性パネル等であることを特徴とする。
また、本発明の構造物は、構造物の形状が、断面矩形、断面多角形、断面半円形状、断面曲線状であることを特徴とする。
また、本発明は、地中構造物を構築する方法において、構築する地中構造物の外周に相当する地中箇所をワイヤーソーまたはチェーンソー等の可撓性切削具で切断し、切断箇所に土留部材及び構造部材を挿入し、前記部材で囲む内部を掘削して地中構造物を構築することを特徴とする。
また、本発明の地中構造物構築方法は、構造部材または構造部材と挿入床版とで構造物の形状を形成したことを特徴とする。
また、本発明の地中構造物構築方法は、構造部材がコンクリートパネル、鋼材、木材、樹脂性パネル等であることを特徴とする。
また、本発明の地中構造物構築方法は、構造物の形状が、断面矩形、断面多角形、断面半円形状、断面曲線状であることを特徴とする。
【０００７】
【発明の実施の形態】
以下、本発明の実施の形態を図面を参照しつつ説明する。
図１は本実施形態の地中構造物構築法を説明する概念図、図２は地中構造物構築法を説明する断面図、図３は構築箇所を鋼板および支保工で囲んだ状態を示す図である。
【０００８】
図１に示すように、軌道１の直下に地中構造物２を構築する場合、その周囲を地盤の切断箇所３としてワイヤーソー（或いはチェーンソー等の可撓性切削具）４により切断し、そこに玉石等の障害物が含まれている場合、その障害物も含めて切断する。ワイヤーソー４は、例えば地盤の切断箇所として将来の地中構造物となる上面あるいは側面あるいはその全周を切断するため、断面矩形の場合構造物の４隅、断面多角形の構造物の場合は各頂点、断面曲線状の構造物の場合は曲線を近似する各直線の交点（頂点）に細い穴を開け、そこにワイヤーソーを通して滑車等（図示省略）で張り、モータ駆動等により高速に回転しながら手前側へ引っ張り込むことにより、ワイヤーソーで形成される面を平面状に切断する。なお、チェーンソーの場合は前方へ押し進みながら切断する。
【０００９】
図２に示すように、ワイヤーソー４を回転させながら矢印で示す進行方向に引っ張って推進すると同時にワイヤーソー４で切断した箇所に反対側から部材５を挿入する。挿入する部材としては、掘削時に土が崩落するのを防止する土留めプレート（例えば、シートや鉄板等）、構造物を構築するためのコンクリートパネル、鋼材、木材、樹脂製パネル等の構造部材で、ワイヤーソーを引っ張り込む動力などを利用して部材を引き込んで挿入する。こうして挿入した部材で囲まれた部分を掘削することにより構造体を構築する。この場合、構造体の底面に相当する箇所にはプレキャストコンクリート床版を挿入し、構造部材と挿入床版とで構造物の形状を形成してもよい。
【００１０】
図３は切断箇所に挿入する構造部材として鋼板を用いた断面図である。
地中構造物の構築周囲上面および側面あるいは全周を鋼板８で囲んだ状態で内部を掘削する。もちろん、鋼板の外側に土留め用のシートを設けてもよい。また、掘削時には必要に応じて支保工６を設けて沈下を防止する。使用する鋼板は平板あるいは継ぎ手のある直線鋼矢板でも良く、また剛性を上げるため、Ｔ型、π型あるいは□型等でも良い。こうして、地中構造物構築箇所７を掘削した後、配筋し、あるいは支保工の鋼材を巻き込んで、コンクリートを打設し、地中構造物を構築する。
【００１１】
なお、地中構造物の構築周囲に挿入する構造部材間の結合は、例えば、図４に示すように構造部材の端部に沿って継手１０を形成し、これらの継手を相互に連結するようにしてもよく、また、図５に示すように、構造部材端部をボルト１１で相互に固定してもよい。また、機械継手、ボルト締めに限らず、溶接、接着、圧着、場所打ち鉄筋コンクリート継手等で構造部材間の連結を行ってもよい。なお、矩形断面が大きい場合には、ワイヤーソーでの切断を各面について複数に分割して行い、構造部材も複数に分割して挿入し、相互に継手で連結するようにしてもよい。
【００１２】
図６は半円形状断面の構造物を構築する場合の説明図である。
半円形状断面を折れ線近似した各面をワイヤーソーやチェーンソー等の可撓性切削具で切断し、各面に土留め部材や構造部材からなる部材５を挿入し、底面に相当する箇所に床版１２を挿入して構造物の形状を構築し、支保工を設けて（図示せず）、内部を掘削して地中構造物を構築する。
【００１３】
【発明の効果】
以上のように、本発明によれば地中構造物構築箇所の上面あるいは上側面あるいは全周を予めワイヤーソーやチェーンソー等の可撓性切削具で切断し、切断箇所に土留め部材や構造部材を挿入して必要に応じて支保工を設けるようにしたので、構造物規模が小さい時に壁厚が薄い構造物の構築が可能になる。また、障害物の撤去作業をなくし、地中構造物の構築を容易に行うことが可能となる。
【図面の簡単な説明】
【図１】本発明の地中構造物構築法を説明する概念図である。
【図２】地中構造物構築法を説明する断面図である。
【図３】構築仮称を鋼板および支保工で囲んだ状態を示す図である。
【図４】構造部材間を機械継手で結合する例を説明する図である。
【図５】構造部材間をボルト締めする例を説明する図である。
【図６】半円形状断面の構造物を構築する場合の説明図である。
【符号の説明】
１…軌道、２…地中構造物、３…切断箇所、４…ワイヤーソー等、５…挿入部材、６…支保工、７…掘削箇所、８…鋼板、１０…継手、１１…ボルト、１２…床版。
【図１】
2004225344.tif 000003
【図２】
2004225344.tif 000004
【図３】
2004225344.tif 000005
【図４】
2004225344.tif 000006
【図５】
2004225344.tif 000007
【図６】
2004225344.tif 000008